(57)【要約】【課題】  フリーアクセスフロアパネルの吹き出し用孔とそれに対応して設けられる吹き出しユニットの大きさが著しく相違していても、著しいコスト高を招くことなく吹き出し用孔に吹き出しユニットを設けることができるようにしたフリーアクセスフロア構造を提供する。【解決手段】  吹き出し用孔１２ａを有するフリーアクセスフロアパネル１２と、吹き出し用孔１２ａに対応して設けられ通気孔１４ｃが形成された吹き出しユニット１４とを備えたフリーアクセスフロア構造であって、吹き出し用孔１２ａと吹き出しユニット１４の大きさが相違しているときでも吹き出し用孔１２ａに吹き出しユニット１４を設けることを可能にする大きさ相違吸収手段１６を設けた。【選択図】      図１
2005248475.tif 000002
【特許請求の範囲】
【請求項１】
吹き出し用孔を有するフリーアクセスフロアパネルと、
前記吹き出し用孔に対応して設けられ通気孔が形成された吹き出しユニットと  を備えたフリーアクセスフロア構造であって、
前記吹き出し用孔と前記吹き出しユニットの大きさが相違しているときでも吹き出し用孔に吹き出しユニットを設けることを可能にする大きさ相違吸収手段を設けた
ことを特徴とするフリーアクセスフロア構造。
【請求項２】
前記大きさ相違吸収手段として、前記吹き出しユニットが前記吹き出し用孔に交換自在の仲介部材を介して設けられるようにした請求項１に記載のフリーアクセスフロア構造。
【請求項３】
前記仲介部材に形成された前記吹き出しユニットを設けるための孔の大きさを変えられるようにした請求項２に記載のフリーアクセスフロア構造。
【請求項４】
前記仲介部材の、前記吹き出しユニットを設けるための孔の周部でこの孔と同心円状の円周方向に切り込みを入れると共に、この円周方向に間隔をおいて半径方向に伸びる複数の溝を形成して、隣合う前記切り込みの間の部分を折り曲げ可能にした請求項３に記載のフリーアクセスフロア構造。
【請求項５】
前記仲介部材の、前記吹き出しユニットを設けるための孔の周部でこの孔と同心円状の円周方向に切り込みを入れると共に、この円周方向に間隔をおいて半径方向に伸びる複数の溝を形成して、隣合う前記切り込みの間の部分を切り取り可能とした請求項３に記載のフリーアクセスフロア構造。
【請求項６】
前記仲介部材の半径内側で周方向に間隔をおいて複数の開閉羽根を設け、これらの開閉羽根を開閉させることにより前記吹き出しユニットを設けるための孔の大きさを変えられるようにした請求項３に記載のフリーアクセスフロア構造。
【発明の詳細な説明】
【技術分野】
【０００１】
本発明は、建築構造物の素材床面の上方に空間を隔ててもう一つの床を設けた二重床構造を形成するフリーアクセスフロア構造に関するものである。
【背景技術】
【０００２】
最近の建築物のオフィス等に用いられる室内には、パソコン，プリンター，コピー機，ファクシミリ等の各種電子機器の、配線や機材等がオフィス等の床の上に放置されて乱雑になるのを防止するために、建築構造物のコンクリート床面の上方に空間を隔ててもう一つの床を設けた二重床構造を形成し、この二重床の間の空間に上記配線や機材等を収納することができるようにしたフリーアクセスフロア構造を施工する場合が増えている。
【０００３】
そして、このようなフリーアクセスフロア構造の上方の床の一部に孔をあけて、その孔に吹き出しユニットを設け、上方の床と下方の床との間の空間から上方の床の上の室内に、上記吹き出しユニットを通って空調用の空気を流すことができるようにしたフリーアクセスフロア構造が従来からあった。
【０００４】
このような上方の床と下方の床との間の空間から上方の床の上の室内に空調用の空気を流すことができるフリーアクセスフロア構造としては、従来は例えば、特許文献１〜３に記載されたものがある。
【特許文献１】特開平６−３０７７０６
【特許文献２】実開平７−２６６４３
【特許文献３】実開平７−４０８４５
【０００５】
このような従来のフリーアクセスフロア構造としては、例えば図８，９に示すようなものがある。図８において、コンクリートスラブ１０（素材床面）の上方に空間を隔てて設けられたフリーアクセスフロアパネル１２には、吹き出しユニット用孔１２ａがあいている。そしてこの吹き出しユニット用孔１２ａには、吹き出しユニット１４の筒状本体部１４ａが嵌合して設けられている。
【０００６】
図８に示すように、吹き出しユニット１４の筒状本体部１４ａの底部及び側部は開放されていると共に、この筒状本体部１４ａの上端には、図９に示すような、多数の通気孔１４ｃが形成された孔板部１４ｂが一体的に形成されている。
【０００７】
この従来のフリーアクセスフロア構造においては、コンクリートスラブ１０とフリーアクセスフロアパネル１２との間の空間に空調装置からの空気が供給されることにより、その空間の気圧が高くなって、上記空気が吹き出しユニット１４の通気孔１４ｃからフリーアクセスフロアパネル１２の上に吹き出すようになっている。
【発明の開示】
【発明が解決しようとする課題】
【０００８】
しかしながら、このような従来のフリーアクセスフロア構造においては、吹き出しユニット１４の大きさが、その製造メーカー或はその性能などによっていろいろな種類があって、その大きさがフリーアクセスフロアパネル１２にあいている吹き出しユニット用孔１２ａの大きさより著しく大きい場合は、フリーアクセスフロアパネル１２の吹き出しユニット用孔１２ａを大きくするよう切削加工しなければならず、このためフリーアクセスフロア構造の著しいコスト高を招くという問題があった。
【０００９】
また、吹き出しユニット１４のいろいろな種類の大きさに合わせて、複数種類の大きさの吹き出しユニット用孔１２ａを有する、複数種類のフリーアクセスフロアパネル１２を揃えて用意するには、同じ数の種類の鋳型や金型等の型が必要となって、やはりフリーアクセスフロア構造の著しいコスト高を招くという問題があった。
【００１０】
そこで本発明は、上記問題点に鑑みて、フリーアクセスフロアパネルの吹き出し用孔とそれに対応して設けられる吹き出しユニットの大きさが著しく相違していても、著しいコスト高を招くことなく吹き出し用孔に吹き出しユニットを設けることができるようにしたフリーアクセスフロア構造を提供することを課題とするものである。
【課題を解決するための手段】
【００１１】
上記課題を解決するために本発明は、
吹き出し用孔を有するフリーアクセスフロアパネルと、
前記吹き出し用孔に対応して設けられ通気孔が形成された吹き出しユニットと  を備えたフリーアクセスフロア構造であって、
前記吹き出し用孔と前記吹き出しユニットの大きさが相違しているときでも吹き出し用孔に吹き出しユニットを設けることを可能にする大きさ相違吸収手段を設けたことを特徴とするものである。
【００１２】
このような構成のフリーアクセスフロア構造によれば、フリーアクセスフロアパネルの吹き出し用孔とそれに対応して設けられる吹き出しユニットの大きさが著しく相違していても、著しいコスト高を招くことなく吹き出し用孔に吹き出しユニットを設けることができる。
【発明を実施するための最良の形態】
【００１３】
以下、本発明の実施の形態について、図面に基づいて具体的に説明する。
図１及び図２は、本発明のフリーアクセスフロア構造の第１の実施の形態について説明するために参照する図である。前記従来のフリーアクセスフロア構造において符号を用いて説明した部品と同様の部品には同一の符号を用いて説明し、同一の構成についての重複する説明は省略するものとする。
【００１４】
図１に示すように、フリーアクセスフロアパネル１２の吹き出しユニット用孔１２ａ（吹き出し用孔）には吹き出しユニット１４が設けられているが、吹き出しユニット１４の筒状本体部１４ａの直径は、フリーアクセスフロアパネル１２の吹き出しユニット用孔１２ａの直径よりも著しく小さい。
【００１５】
このため、吹き出しユニット１４とフリーアクセスフロアパネル１２との間には、図２に示すような仲介環状部材１６（大きさ相違吸収手段、仲介部材）が設けられている。そして、図２に示すように、この仲介環状部材１６の断面の上環状部１６ａと下環状部１６ｂとの間には、それらを連結する連結環状部１６ｃが形成されている。
【００１６】
そして図１に示すように、吹き出しユニット１４の孔板部１４ｂの周部と、仲介環状部材１６の下環状部１６ｂとの間には、弾性体のＯリング１８が挟まれて設けられている。
【００１７】
このような本実施の形態によれば、吹き出しユニット１４の筒状本体部１４ａの直径がフリーアクセスフロアパネル１２の吹き出しユニット用孔１２ａの直径よりも小さくとも、仲介環状部材１６及び弾性体のＯリング１８を介して設けることにより、フリーアクセスフロアパネル１２に吹き出しユニッ１４を確実に設けることができる。
【００１８】
吹き出しユニット１４の筒状本体部１４ａの直径とフリーアクセスフロアパネル１２の吹き出しユニット用孔１２ａの直径がほぼ同一の場合は、仲介環状部材１６及び弾性体のＯリング１８を介さないで直接それらを嵌合して設けることができる。
【００１９】
このため、フリーアクセスフロアパネル１２の吹き出しユニット用孔１２ａの直径を予想し得る最大の直径に形成しておくことにより、その直径以下のいろいろな種類の直径の筒状本体部１４ａを有する吹き出しユニット１４でも、フリーアクセスフロアパネル１２の吹き出しユニット用孔１２ａに確実に設けることができる。
【００２０】
したがって、この第１の実施の形態によれば、フリーアクセスフロアパネル１２の吹き出しユニット用孔１２ａの直径を大きくするよう切削加工したり、吹き出しユニット用孔１２ａの直径が異なるフリーアクセスフロアパネル１２を複数種類揃えて用意する必要がないので、そのような著しいコスト高を招くことをする場合に比べて、フリーアクセスフロア構造の著しいコスト高を招くことがない。
【００２１】
図３〜５は、本発明のフリーアクセスフロア構造の第２の実施の形態について説明するために参照する図である。
【００２２】
図３は、前記第１の実施の形態における仲介環状部材１６と同様の形状を有し、同様の状態でフリーアクセスフロアパネル１２の吹き出しユニット用孔１２ａに設けられる仲介環状部材２６（大きさ相違吸収手段、仲介部材）を示す平面図である。すなわちこの仲介環状部材２６は、図４に示すように、仲介環状部材１６と同様に上環状部２６ａと下環状部２６ｂを有し、それらの間にはそれらを連結する連結環状部２６ｃが形成されている。
【００２３】
この仲介環状部材２６が、前記第１の実施の形態における仲介環状部材１６と異なる点は、図３に示すように、その下環状部２６ｂの内周部に、円周方向に間隔をおいて複数箇所（図中８箇所）に溝２６ｄ（大きさ相違吸収手段）が形成されていると共に、その溝２６ｄの仲介環状部材２６における半径外方端を結ぶ円に沿って切り込み２６ｅ（大きさ相違吸収手段）が形成されている（図４のＡ部の拡大図参照）。
【００２４】
このような仲介環状部材２６は、図３に示すその下環状部２６ｂの内周縁により形成された孔に、吹き出しユニット１４の筒状本体部１４ａが嵌合するようになっているが、その筒状本体部１４ａの直径が大きくて仲介環状部材２６の下環状部２６ｂの内周縁により形成された孔に嵌合できないときは、その下環状部２６ｂの内周部の互いに隣合う溝２６ｄ間を切り込み２６ｅから下方に折り曲げて、その内周部のすべての溝２６ｄ間を折り曲げる。
【００２５】
すると、図５に示すように、仲介環状部材２６の下環状部２６ｂの内周縁により形成される孔の直径が、切り込み２６ｅの直径にまで拡大される。このことにより、下環状部２６ｂの内周縁により形成された孔に、吹き出しユニット１４の筒状本体部１４ａを嵌合することが可能となる。
【００２６】
このため、この第２の実施の形態によれば、フリーアクセスフロアパネル１２の吹き出しユニット用孔１２ａの直径を大きくするよう切削加工したり、吹き出しユニット用孔１２ａの直径が異なるフリーアクセスフロアパネル１２を複数種類揃えて用意する必要がないので、そのような著しいコスト高を招くことをする場合に比べて、フリーアクセスフロア構造の著しいコスト高を招くことがない。
【００２７】
なお、上記第２の実施の形態においては、仲介環状部材２６の下環状部２６ｂの内周部の互いに隣合う溝２６ｄ間を切り込み２６ｅから折り曲げることにより、下環状部２６ｂの内周縁により形成される孔の直径が拡大されるようになっていたが、切り込み２６ｅの深さをより深くすることにより、切り込み２６ｅから折り曲げることによって切り込み２６ｅの部分を切り離し易くし、切り込み２６ｅより半径内側の内周部の、互いに隣合う溝２６ｄ間の部分をすべて切り取ることができるようにして、下環状部２６ｂの内周縁により形成される孔の直径が拡大されるようにしてもよい。
【００２８】
図６，７は、本発明のフリーアクセスフロア構造の第３の実施の形態について説明するために参照する図である。
【００２９】
前記第２の実施の形態においては、仲介環状部材２６の内周部に溝２６ｄ及び切り込み２６ｅが形成されていたのに対し、この第３の実施の形態においては、図６，７に示すように、フリーアクセスフロアパネル１２の吹き出しユニット用孔１２ａに設けられる仲介環状部材３６（大きさ相違吸収手段、仲介部材）の内周部に、カメラの絞り機構の羽根のような、複数枚（図中５枚）の開閉羽根３０（大きさ相違吸収手段）が設けられている点において異なっている。
【００３０】
この開閉羽根３０は、図示してないピンとカムを介して、仲介環状部材３６と相対回転する図示してない部材が回転することにより、図６に示すように開閉羽根３０の内側の孔の直径が小さくなったり、図７に示すように開閉羽根３０の内側の孔の直径が大きくなったりするようになっている。
【００３１】
このような仲介環状部材３６は、その開閉羽根３０の内側の孔に吹き出しユニット１４の筒状本体部１４ａが嵌合するようになっているが、その筒状本体部１４ａの直径が大きくて開閉羽根３０の内側の孔に嵌合できないときは、開閉羽根３０の内側の孔を図７に示すように大きくする。このことにより、吹き出しユニット１４の筒状本体部１４ａを開閉羽根３０の内側の孔に嵌合することが可能となる。
【００３２】
また逆に、吹き出しユニット１４の筒状本体部１４ａの直径が小さくて開閉羽根３０の内側の孔に嵌合できないときは、開閉羽根３０の内側の孔を図６に示すように小さくすることにより、吹き出しユニット１４の筒状本体部１４ａを開閉羽根３０の内側の孔に嵌合することが可能となる。
【００３３】
このため、この第３の実施の形態によれば、フリーアクセスフロアパネル１２の吹き出しユニット用孔１２ａの直径を大きくするよう切削加工したり、吹き出しユニット用孔１２ａの直径が異なるフリーアクセスフロアパネル１２を複数種類揃えて用意する必要がないので、そのような著しいコスト高を招くことをする場合に比べて、フリーアクセスフロア構造の著しいコスト高を招くことがない。
【００３４】
なお、前記実施の形態においては吹き出しユニット１４の筒状本体部１４ａ内にファン装置を内蔵しない場合について説明したが、上記筒状本体部１４ａ内にファン装置を内蔵してもよいことはいうまでもない。
【００３５】
また、前記実施の形態においては吹き出しユニット１４が円形状に形成されると共に、仲介部材が仲介環状部材１６，２６，３６のように円環状に形成された場合について説明したが、吹き出しユニットは多角形等の円形状以外の形状に形成されてもよいと共に、仲介部材は多角環状等の円環状以外の環状に形成されてもよい。
【図面の簡単な説明】
【００３６】
【図１】本発明の第１の実施の形態に係るフリーアクセスフロア構造を示す側面断面図である。
【図２】図１における仲介環状部材１６を示すその側面断面図である。
【図３】本発明の第２の実施の形態に係るフリーアクセスフロア構造に用いる仲介環状部材２６を示す平面図である。
【図４】図３における仲介環状部材２６を示すその側面断面図及びそのＡ部の拡大図である。
【図５】仲介環状部材２６の下環状部２６ｂの内周縁により形成される孔の直径を拡大した状態を示す平面図である。
【図６】本発明の第３の実施の形態に係るフリーアクセスフロア構造に用いる仲介環状部材３６を示すその開閉羽根３０の内側の孔が縮小した状態を示す平面図である。
【図７】仲介環状部材３６を示すその開閉羽根３０の内側の孔が拡大した状態を示す平面図である。
【図８】吹き出しユニッ１４をフリーアクセスフロアパネル１２の吹き出しユニット用孔１２ａに設けた従来のフリーアクセスフロア構造を示す側面断面図である。
【図９】図８における吹き出しユニット１４の通気孔１４ｃが形成された孔板部１４ｂを示すその平面図である。
【符号の説明】
【００３７】
１０  コンクリートスラブ
１２  フリーアクセスフロアパネル
１２ａ  吹き出しユニット用孔
１４  吹き出しユニット
１４ａ  筒状本体部
１４ｂ  孔板部
１４ｃ  通気孔
１６  仲介環状部材
１６ａ  上環状部
１６ｂ  下環状部
１６ｃ  連結環状部
１８  Ｏリング
２６  仲介環状部材
２６ａ  上環状部
２６ｂ  下環状部
２６ｃ  連結環状部
２６ｄ  溝
２６ｅ  切り込み
３０  開閉羽根
３６  仲介環状部材
３６ａ  上環状部
３６ｂ  下環状部
３６ｃ  連結環状部
【図１】
2005248475.tif 000003
【図２】
2005248475.tif 000004
【図３】
2005248475.tif 000005
【図４】
2005248475.tif 000006
【図５】
2005248475.tif 000007
【図６】
2005248475.tif 000008
【図７】
2005248475.tif 000009
【図８】
2005248475.tif 000010
【図９】
2005248475.tif 000011